【事件の表示】
　特願２００４−　８３６５０「携帯電話機」拒絶査定不服審判事件〔平成１６年　９月３０日出願公開、特開２００４−２７４７７７〕について、次のとおり審決する。
【結　論】
　本件審判の請求は、成り立たない。
【理　由】
１．手続の経緯
　本願は、平成１５年３月７日に出願した特願２００３−６１１２４号の一部を、平成１６年３月２２日に新たな特許出願（特願２００４−８３６５０号）としたものであって、平成２２年４月２６日付けで拒絶査定がなされ、これに対し、平成２２年８月５日に拒絶査定に対する審判請求がなされ、当審において平成２２年９月２１日付けで拒絶理由通知がなされ、平成２２年１１月２９日付けで手続補正がなされたものである。
　
２．本願発明
　本願の請求項１に係る発明（以下、「本願発明」という。）は、平成２２年１１月２９日付け手続補正書の請求項１に記載された以下のとおりのものと認める。
　「本体部と蓋体部を連結部により折畳み可能に連結して機器本体と成し、本体部の折畳み内面側に数字等の入力キー部を、本体部の折畳み外面側にカメラを設け、開いた状態でも折り畳んだ状態でも撮影可能な、開いた状態では縦長に持って使用するカメラ付き携帯電話機において、
　開いた状態で撮影するためのシャッターボタンを前記入力キー部に備え、
　折り畳んだ状態で横長に持って撮影するためのシャッターボタンを前記本体部の右側面に備え、
　前記カメラは折畳み外面であって前記連結部に近い位置に配置し、
　前記開いた状態で撮影するためのシャッターボタンは前記折畳み内面であって前記連結部に近い位置に配置し、
　前記折り畳んだ状態で横長に持って撮影するためのシャッターボタンは前記右側面であって前記連結部の反対端に近い位置に配置したことを特徴とする携帯電話機。」
　　
３．引用例
　当審で通知した拒絶理由に引用された「Ａ５３０３Ｈ，ケータイベスト，日本，ソフトバンクパブリッシング株式会社，２００３年２月１５日，Ｖｏｌ．１２，第７４頁」（以下、「引用例１」という。）には、図面とともに以下の記載がある。
　イ．「３４万画素を誇るＶＧＡ対応のカメラは、ヒンジ部に搭載。１８０度回転できるようになっている。回転式を採用することで、開いた状態でも閉じた状態でも、通常の撮影とセルフショットが可能だ。閉じた状態でファインダーとなる背面液晶は、大型の１インチカラー。ケータイトップクラスの２６万色を表示し、ＴＦＴ方式なのでとても美しい表示ができる。」
　ロ．「サブソフトキー
背面に２つのボタンを装備。撮影中にズーム操作とシャッターとして使用。」
　　
　引用例１の図面を参照すれば、携帯電話機Ａ５３０３Ｈは、本体部と蓋体部をヒンジ部により折り畳み可能に連結して機器本体となし、本体部の折畳み内面側に数字等の入力キー部を設けたものであるといえる。
　摘記事項イによれば、ヒンジ部にカメラを設け、開いた状態でも閉じた状態でも撮影可能な携帯電話機であるといえる。
　引用例１の図面から明らかなように、本体部の折り畳み内面であってヒンジ部に近い位置にはセンターキーが設けられており、折り畳み可能なカメラ付き携帯電話機において、開いた状態で撮影するためのシャッターボタンとして入力キー部のセンターキーを用いることは技術常識である。また、開いた状態では縦長に持って使用することは通常の使用形態である。
　摘記事項ロ及び図面を参照すれば、折り畳んだ状態で撮影するためのシャッターボタンは、本体部の外面の中央付近に配置されていることが把握できる。
　
　したがって、引用例１には、技術常識を考慮すると、
　「本体部と蓋体部をヒンジ部により折畳み可能に連結して機器本体と成し、本体部の折畳み内面側に数字等の入力キー部を、ヒンジ部にカメラを設け、開いた状態でも折り畳んだ状態でも撮影可能な、開いた状態では縦長に持って使用するカメラ付き携帯電話機において、
　開いた状態で撮影するためのシャッターボタンを前記入力キー部に備え、
　折り畳んだ状態で撮影するためのシャッターボタンを前記本体部の外面の中央付近に備え、
　開いた状態で撮影するためのシャッターボタンは前記折畳み内面であって前記ヒンジ部に近い位置に配置した携帯電話機。」
との発明（以下、「引用例１発明」という。）が開示されていると認めることができる。
　
　当審で通知した拒絶理由に引用された特開平１０−３３６４９８号公報（以下、「引用例２」という。）には、図面とともに以下の記載がある。
　イ．「【００１１】
【発明の実施の形態】以下、本発明の実施の形態を、電子スチルカメラとＰＨＳ端末との複合機器に適用した一実施例として、図面を参照して説明する。
Ａ．第１実施例の構成
Ａ−１．複合機器の構成
図１は本発明の第１実施例による複合機器の構成を示すブロック図である。図において、複合機器は、ＰＨＳによる通信機能を実現するための回路と電子スチルカメラによる撮影機能を実現するための回路とを備えている。
【００１２】（１）電子スチルカメラ部
図において、１はＣＣＤであり、図示しないレンズを介して結像した静止映像を電気信号に変換し、バッファ２へ供給する。バッファ２は、上記静止映像信号を所定レベルに増幅した後、Ａ／Ｄ変換部３へ供給する。Ａ／Ｄ変換部３は、上記静止映像信号をデジタルデータ（以下、画像データという）に変換した後、ＴＧ（Timing Generator;タイミング発生器）４へ供給する。ＴＧ４は、ＣＣＤ１を駆動する駆動回路４を制御するためのタイミング信号を生成し、これを駆動回路５へ供給するとともに、このタイミング信号に従って、上記画像データを取り込み、データバスへ出力する。」
　ロ．「【００２３】Ａ−２．複合機器の外観構成および使用形態
次に、図２は、上述した複合機器の外観構成を示す斜視図である。なお、図１に対応する部分には同一の符号を付けて説明を省略する。図において、３０は、当該複合機器を電子スチルカメラとして使用した場合、ＣＣＤ１で撮影した映像を取り込むためのシャッターキーである。また、３１は、ＬＣＤ１３ａに対する表示画面およびファインダーの縦横を切り換えるための切替スイッチであり、該切替スイッチ３１を下側に投入した場合には、ＬＣＤ１３ａの表示領域およびファインダー３２を横長とし、上側に投入した場合には、ＬＣＤ１３ａの表示領域およびファインダー３２を縦長とするようになっている。また、ＬＣＤ１３ａが設けられている蓋部３３は、本体に対し、図示の矢印方向に回転自在に設けられており、使用形態に応じて、開閉されるようになっている。図示の状態は、蓋部３３が開かれた状態である。
【００２４】また、３４は、当該複合機器をＰＨＳ端末として用いた場合、ダイヤルするとき等に用いる電話帳（データベース）を表示させたり、電話帳から任意の相手を指定したりするときに操作される操作キーである。次に、３５は、４方向でオン／オフ可能な十字キーであり、ＬＣＤ１３ａに表示されたデータ選択や機能選択等において、カーソルやポインタを移動させるときに用いられる。また、３６は、当該機器が通信機器として動作している場合に所定番号にダイヤルさせるための通信キーである。また、３７は、確立した回線を切断するための切断キーであり、３８は、通話を一時保留する保留キーである。また、３９は、電子スチルカメラまたは通信機器で動作している場合にそれぞれで実行可能な機能を選択するための機能キーである。ちなみに、電子スチルカメラとしての動作中において、撮影した画像を送信する場合には、機能キー３９で画像送信を選択し、十字キー３５で送信する画像を選択すると、ダイヤル番号入力画面となるので、タッチパネル１３ｂをタッチすることでダイヤル番号を入力するか、あるいは電話帳を開いて送信先を選択し、通信キー３６を押下すると、選択した相手にダイヤルされ、回線が接続後に画像通信が開始される。
【００２５】Ａ−３．複合機器の使用形態
次に、図３ないし図６は、本第１実施例による複合機器の使用形態を示す模式図である。当該複合機器は、その使用用途に応じて、その用途で最も使用しやすいような把持形態をとるようになっている。一般的に、カメラの操作（シャッターキーの押下）は右手で行われ、電話（ハンドセット）の操作は左手で行われる。そこで、本第１実施例では、それぞれの機能の操作がスムーズに行われるように、従来の操作形態を引き継ぎ、その使用用途に対する把持形態を考慮して、各種スイッチの配置を決定している。
【００２６】（１）電子スチルカメラ（ファインダー方式）
まず、当該複合機器をファインダー方式の電子スチルカメラとして使用する場合には、図３に示すように、ＬＣＤ１３ａが設けられている蓋部３３を閉じて右手で本体右側を把持する。言い換えると、通常のカメラを把持する状態と同じである。この場合、使用者は、ファインダー３２から被写体を確認し、本体を把持している右手の人差し指でシャッターキー３０を操作する。
【００２７】（２）電子スチルカメラ（ＬＣＤ表示方式）
次に、当該複合機器をＬＣＤ表示方式の電子スチルカメラとして使用する場合には、図４に示すように、ＬＣＤ１３ａが設けられている蓋部３３を開け、ＬＣＤ１３ａが使用者側に見えるようにし、本体と蓋部の連結部付近を右手で把持する。この場合、ＣＣＤ１で取り込まれた画像がＬＣＤ１３ａにリアルタイムで表示されるので、使用者は、ＬＣＤ１３ａで被写体（写り具合）を確認し、本体を把持している右手の人差し指でシャッターキー３０を操作する。
【００２８】（３）ＰＨＳ端末
次に、当該複合機器をＰＨＳ端末として使用する場合には、図５に示すように、ＬＣＤ１３ａが設けられている蓋部３３を開け、ＬＣＤ１３ａが使用者側に見えるようにし、本体が縦長となるように左手で把持する。このとき、スピーカ１９は上側、マイク２０は下側となる。この場合、ＬＣＤ１３ａには、ダイヤルキーや電話番号、電話帳等が表示されるので、使用者は、本体を把持している左手で操作キー３４を操作することにより、電話帳から任意の相手を指定したりする。
【００２９】（４）ＰＨＳ端末（カメラ使用）
次に、当該複合機器をカメラ使用のＰＨＳ端末として使用する場合には、図６に示すように、ＬＣＤ１３ａが設けられている蓋部３３を開け、ＬＣＤ１３ａが使用者側に見えるようにし、裏面にある撮影レンズを撮影したい方向に向け、本体が縦長となるように左手で把持する。この場合、ＣＣＤ１で取り込まれた画像がＬＣＤ１３にリアルタイムで表示されるので、使用者は、ＬＣＤ１３ａで被写体（写り具合）を確認しながら、本体を把持している左手でシャッターキー３０を押下し、画像を取り込む。」
　
　引用例２には、電子スチルカメラとＰＨＳ端末の複合機器が開示されており、この複合機器は、「カメラ付き携帯電話機」であるといえる。
　引用例２の図２〜図６を参照すれば、複合機器は、本体部と蓋体部を連結部により折畳み可能に連結して機器本体となしたものであることが把握できる。
　引用例２の段落【００２６】及び図３によれば、複合機器は折り畳んだ状態で撮影可能であり、折り畳んだ状態で横長に持って撮影するためのシャッターボタンは、本体部の側面であって、右手の人差し指で操作する位置に配置されているといえる。
　
　したがって、引用例２には、技術常識を考慮すると、
「本体部と蓋体部を連結部により折畳み可能に連結して機器本体と成し、機器本体にカメラを設け、折り畳んだ状態で撮影可能な、カメラ付き携帯電話機において、
　折り畳んだ状態で横長に持って撮影するためのシャッターボタンは、本体部の側面であって、右手の人差し指で操作する位置に配置すること」
が開示されている。
　
　当審で通知した拒絶理由に引用された特開２００２−３００２３７号公報（以下、「引用例３」という。）の図１、及び特開２００２−３０５５６６号（以下、「引用例４」という。）の図１を参照すると、引用例３、４には、
「本体部と蓋体部を連結部により折畳み可能に連結して機器本体と成したカメラ付き携帯電話において、カメラを本体部の折畳み外面であって連結部に近い位置に配置すること」が開示されている。
　
４．対比
　本願発明と引用例１発明とを対比する。
　引用例１発明の「ヒンジ部」は、本願発明の「連結部」に相当する。
　　　
　したがって、本願発明と引用例１発明とは、
「本体部と蓋体部を連結部により折畳み可能に連結して機器本体と成し、本体部の折畳み内面側に数字等の入力キー部を、機器本体にカメラを設け、開いた状態でも折り畳んだ状態でも撮影可能な、開いた状態では縦長に持って使用するカメラ付き携帯電話機において、
　開いた状態で撮影するためのシャッターボタンを前記入力キー部に備え、
　折り畳んだ状態で撮影するためのシャッターボタンを前記本体部に備え、
　前記開いた状態で撮影するためのシャッターボタンは前記折畳み内面であって前記連結部に近い位置に配置した携帯電話機。」
である点で一致し、以下の点で相違している。
　　
［相違点１］
　「カメラ」について、本願発明では、「本体部の折畳み外面であって連結部に近い位置に配置」されるのに対して、引用例１発明では、「ヒンジ部に配置」されるものである点。
［相違点２］
　「折り畳んだ状態で撮影するためのシャッターボタン」について、本願発明では、「横長に持って撮影するための」ものであり、「本体部の右側面であって連結部の反対端に近い位置に配置」されるのに対して、引用例１発明では、「本体部の外面の中央付近に配置」されるものである点。
　
５．当審の判断
［相違点１］について
　引用例３、４には、「本体部と蓋体部を連結部により折畳み可能に連結して機器本体と成したカメラ付き携帯電話において、カメラを本体部の折畳み外面であって連結部に近い位置に配置すること」が開示されており、引用例１発明において、カメラを「ヒンジ部」に配置することに代えて、「本体部の折畳み外面であって連結部に近い位置に配置」することは、引用例３、４の開示事項を適用することにより容易になし得たことである。
　
［相違点２］について
　引用例２には、「本体部と蓋体部を連結部により折畳み可能に連結して機器本体と成し、機器本体にカメラを設け、折り畳んだ状態で撮影可能なカメラ付き携帯電話機において、折り畳んだ状態で横長に持って撮影するためのシャッターボタンは、本体部の側面であって、右手の人差し指で操作する位置に配置すること」が開示されている。
　引用例１発明に引用例２の開示事項を適用することに困難性は認められず、また、携帯電話機を横長に持つときに連結部をどちらに向けるようにするかは、当業者が設計に際して適宜決定すべき事項であることを考慮すれば、「折り畳んだ状態で横長に持って撮影するためのシャッターボタン」を「本体部の右側面であって連結部の反対端に近い位置に配置」することは当業者が容易に想到し得たものというべきである。
　
　そして、本願発明の作用効果も、引用例１発明、及び引用例２〜４の開示事項から当業者が予測できる範囲のものである。
　　　
６．むすび
　以上のとおり、本願発明は、引用例１発明、及び引用例２〜４の開示事項に基づいて、当業者が容易に発明をすることができたものであるから、特許法第２９条第２項の規定により特許を受けることができない。
　よって、結論のとおり審決する。